(57)【要約】【課題】弁当箱の構造の提供。【解決手段】底板１１の２辺から折れて立ち上がる側板を備え、これに２枚の連接板１２を対応させ、相互に嵌めて設置し、接着して底箱１０構造を構成し、最適な強度と、より美しい外観を備え、上蓋２０は、両側に折辺２１１を設置し、底箱１０の両側とそれぞれ嵌合し、こうして嵌合力が均等な弁当箱の構造を提供する。【選択図】図２
0003151130.tif 000002
【実用新案登録請求の範囲】
【請求項１】
底箱を設け、該底箱は、底板、２枚の連接板を備え、
前記底板は、相対する辺に、上方へと折れて立ち上がる側板をそれぞれ形成し、
前記２枚の連接板は、前記底板の、側板とは異なるもう一方の相対する辺に対応して結合し、前記底板側面に対応して本体を形成し、その両側には折畳み可能な翼片を設置し、前記連接板の底部と上部には、突出片と折板をそれぞれ形成し、これらは相対的に内側へと折畳むことができ、しかも突出片と折板との間には、溝を形成し、
前記連接板の溝に、前記底板の板端を嵌め入れ、同時に、２枚の翼片と底板の２枚の側板を接着し、底箱を構成することを特徴とする弁当箱の構造。
【請求項２】
前記底箱の上方には、上蓋を設置し、しかも前記上蓋は、前記底箱上方を封鎖する頂点板を備え、前記連接板の両側翼片に相対して折辺を設置し、前記折辺は、前記連接板上の翼片と相対して嵌合することを特徴とする請求項１に記載の弁当箱の構造。
【請求項３】
前記上蓋の折辺と前記連接板上の翼片との間には、相対する凹と凸の係合部を形成し、これにより相対して嵌合することを特徴とする請求項２に記載の弁当箱の構造。
【請求項４】
前記連接板上方の折板をなくし、前記底板の辺縁に、その位置に相対する側板を設置することを特徴とする請求項１に記載の弁当箱の構造。
【考案の詳細な説明】
【技術分野】
【０００１】
本考案は弁当箱の構造に関し、特に嵌合し接合可能な紙類或いは木製箱体である弁当箱の構造に関する。
【背景技術】
【０００２】
弁当箱を用いて食物、料理を盛り付け、食用に供する行為の歴史は非常に古い。現在、食物、料理を装うために用いる容器(以下、弁当箱と総称)は、主にプラスチック、紙、木片などの材料により作られている。その内、プラスチック製の弁当箱は、耐熱性が低く、環境保護の観点からも望ましくないため、紙或いは木片製弁当箱の評価が高まり始めている。
【０００３】
一般に従来の紙或いは木片製弁当箱は、底辺の四面を裁断し、向かい合わせに折り、４側面を形成する。さらに、短い２面を長い２面間に挟み、各側辺と底辺の連接関係を構成する。次に、紙片を利用し、隣り合う側辺間を接着し、こうして各側辺は立ち上がった後に、紙片により支えられ、５面が結合した方形の箱状構造を維持する。さらに、箱体の片側には蓋片を延伸し、上面を封鎖する。
【０００４】
しかし、従来の紙或いは木片製弁当箱構造は、単純な立方体の展開構造を、接着剤により粘着して構成するだけであるため、構造の強度が不十分である。
【０００５】
さらに、単純な方形箱体の外形は、不良である。
【０００６】
また、箱体片側から直接延伸する従来の蓋片において、上面を封鎖する時、片側は箱体に支えられるが、反対側は自由な封鎖端であるため、受力が不均衡となり、箱体内の食物が容易に変形する。しかも、さらに輪ゴムを嵌めて固定しなければならないため、環境保護の観点から望ましくなく、また変形して美しくなく、中に入れる内容物も制限されてしまう。本考案は、従来の弁当箱の構造の上記した欠点に鑑みてなされたものである。
【考案の概要】
【考案が解決しようとする課題】
【０００７】
本考案が解決しようとする第一の課題は、底板の２辺から折れて立ち上がる側板に、２枚の連接板を対応させ、相互に嵌めて設置し、接着して底箱構造を構成し、これにより底箱下方には空間を空けて持ち上げ、最適な強度と、より美しい外観を備える弁当箱の構造を提供することである。
本考案が解決しようとする第二の課題は、底箱の上方には上蓋を設置し、上蓋の両側には折辺を設置し、底箱の両側とそれぞれ嵌合し、こうして嵌合力が均等な弁当箱の構造を提供することである。
【課題を解決するための手段】
【０００８】
上記課題を解決するため、本考案は下記の弁当箱の構造を提供する。
【考案の効果】
【０００９】
本考案は、組み立てが容易で、構造の信頼性が高く、外観は従来品に比べ美しい。
【図面の簡単な説明】
【００１０】
【図１】本考案の料理用容器の外観構造図である。
【図２】本考案第一実施例の上蓋と底箱の分解図である。
【図３】本考案第一実施例の底箱構造の分解図である。
【図４】本考案第一実施例の断面構造図である。
【図５】本考案第二実施例の底箱構造の分解図である。
【図６】本考案第二実施例の局部断面図である。
【考案を実施するための形態】
【００１１】
以下に図面を参照しながら本考案を実施するための最良の形態について詳細に説明する。
【００１２】
図１、２、３に示すように、本考案弁当箱の構造は、底箱１０に、上蓋２０を選択的に対応させて使用することができる。底箱１０は、底板１１、連接板１２を備える。
【００１３】
底板１１は、木製の方形板片で、相対する辺には、上方へと折れて立ち上がる側板１１１をそれぞれ形成する。２枚の側板１１１の輪郭は、およそ台形で、２枚の側板１１１と底板１１との間には、折り目１１２を設置する。
【００１４】
２枚の連接板１２は、底板１１の、側板１１１とは異なるもう一方の相対する辺に対応して結合する。底板１１側面に対応して、台形本体を形成する他に、その両側には折畳み可能な翼片１２１を設置する。２枚の翼片１２１と連接板１２本体との間には、折り目１２２を設置する。連接板１２の底部と上部には、突出片１２３と折板１２４をそれぞれ形成し、これらは相対的に内側へと折畳むことができ、しかも突出片１２３と折板１２４との間には、溝１２５を形成する。
【００１５】
図２、３、４に示すように、連接板１２の溝１２５に、底板１１の板端を嵌め入れ、同時に、２枚の翼片１２１と底板１１の２枚の側板１１１を接着し、図２の下方に示す底箱１０を構成する。
【００１６】
さらに、連接板１２の翼片１２１外縁には、弧状の係合部１２６を形成し、これにより上蓋２０と嵌合することができる。
【００１７】
図１、２、４に示すように、上蓋２０は、底箱１０上方を封鎖する頂点板２１を備える。また、翼片１２１の両側に相対して折辺２１１を設置する。２枚の折辺２１１本体と方形頂点板２１本体との間には、折り目２１２を予め設置し、しかも折辺２１１の両側辺縁には、翼片１２１と対応する係合部２１３をそれぞれ設置する。
【００１８】
底箱１０の組み立て時には、先ず図３、４に示すように、底板１１両辺の側板１１１を上方へと立ち上げる。次に、２枚の連接板１２で底板１１の２辺を包み、しかも、２枚の連接板１２の翼片１２１を、底板１１の２枚の側板１１１外側に接着する。こうして、底部から斜めに外側へと張り出す底箱１０構造を構成する。図２、４に示すように、上蓋２０は、底箱１０上方を封鎖し、折辺２１１の係合部２１３と翼片１２１とは相対して嵌合し、図１に示す弁当箱の構造を形成する。
【００１９】
本考案の第二実施例は、図５に示すように、底板１１のすべての相対する辺に、それぞれ側板１１１、１１３を形成する。すなわち、連接板１２位置に相対する側板１１３により、図３に示す折板１２４に置換する。図５に示す実施例の連接板１２は、下方に突出片１２３だけを設置し、しかも突出片１２３上方により直接、底板１１を支える。さらに、図５、６に示すように、底板１１の底部は、突出片１２３上方に接触し、底板１１の側板１１３と連接板１２との間は、接着剤により接着し、強度を高める。
【００２０】
よって、本考案を使用することにより、以下のような利点がある。
1．底箱１０を底板１１と連接板１２により異なる方式で対応させ結合するため、組み立てが容易で、構造の信頼性が高く、外観は従来品に比べ美しい。
2．底箱１０の底板１１は、連接板１２より高いため、テーブル或いは台上との間に隔絶空間を形成し、料理を保温する効果を発揮することができる。
3．上蓋２０と底箱１０とは分離した構造であるが、嵌合は非常に容易で、上蓋の頂点板２１により、底箱１０の開口部を直接遮蔽可能である他に、上蓋２０の２枚の折辺２１１を、底箱１０の２枚の側板１１１へと折り曲げることで、２枚の連接板１２の係合部１２６と相互に係合され、こうして上蓋２０と底箱１０の堅固な接合を構成することができ、また上蓋２０と底箱１０との密接効果を向上させることもできる。
【００２１】
上記の実施説明と図示は、本考案の最適実施例に過ぎず、本考案技術内容の説明に用いたのみで、本考案を限定するものではない。本考案の構造、装置、特徴と近似、類似のものはすべて、本考案の保護範囲に含むものとする。
【符号の説明】
【００２２】
１０  底箱
１１  底板
１１１  側板
１１２  折り目
１１３  側板
１２  連接板
１２１  翼片
１２２  折り目
１２３  突出片
１２４  折板
１２５  溝
１２６  係合部
２０  上蓋
２１  頂点板
２１１  折辺
２１２  折り目
２１３  係合部
【図１】
0003151130.tif 000003
【図２】
0003151130.tif 000004
【図３】
0003151130.tif 000005
【図４】
0003151130.tif 000006
【図５】
0003151130.tif 000007
【図６】
0003151130.tif 000008